(57)【要約】  【課題】音声データ受信装置における異音の防止。  【解決手段】受信できないオーディオサンプリング周波数を、音声データ送信装置が送信するかまたは音声データ受信装置が受信した際、音声データ受信装置の保有するＥＤＩＤ情報をもとに送信側または受信側のＨＤＭＩ  ＬＳＩ内部１０１、２１０で音声データ受信装置が受信できる周波数に周波数変換処理を行い、更に音声情報のミュート処理を行うことで異音の発生を防ぐ。【選択図】 図８
2008159238.tif 000002
【特許請求の範囲】
【請求項１】
音声データが入力される入力器と、
前記入力器に入力された前記音声データの送信先である音声データ受信装置から、この音声データ受信装置の音声データ処理能力に関する情報を取得する情報取得器と、
前記情報取得器が取得した前記情報を解析する解析器と、
前記解析器の解析結果に基づいて、前記音声データ受信装置に適した前記音声データのヘッダ情報を生成したうえで、生成した前記ヘッダ情報を、前記入力器に入力された前記音声データに付加する情報付加器と、
前記入力器に入力された前記音声データに対応する音声クロック情報パケットを生成する情報パケット生成器と、
前記ヘッダ情報を付加した前記音声データに前記音声クロック情報パケットを重畳してなる重畳データを前記音声データ受信装置に出力する出力器と、
を備えることを特徴とする、
音声データ送信装置。
【請求項２】
前記入力器に入力された前記音声データに設定されたサンプリング周波数を、前記音声データ受信装置に適したサンプリング周波数に変更する変更器をさらに備える、
ことを特徴とする請求項１の音声データ送信装置。
【請求項３】
前記出力器は、出力する音声データの信号レベルを制限可能である、
ことを特徴とする請求項２の音声データ送信装置。
【請求項４】
前記入力器は、前記音声データとして、圧縮音声データと非圧縮音声データとの入力が可能である、
ことを特徴とする請求項２の音声データ送信装置。
【請求項５】
前記圧縮データは、IEC60958/61937規格の音声データであり、
前記非圧縮データは、IEC60958規格及びI2S、Left-Justified、Right-Justifiedフォーマットに対応した音声データである、
ことを特徴とする請求項４の音声データ送信装置。
【請求項６】
前記出力器は、前記音声クロック情報パケットと前記音声データとを出力停止可能である、
ことを特徴とする請求項１の音声データ送信装置。
【請求項７】
前記出力器は、前記音声データを出力停止可能である、
ことを特徴とする請求項１の音声データ送信装置。
【請求項８】
前記出力器は、前記音声クロック情報パケットと前記音声データとを同時に出力停止可能である、
ことを特徴とする請求項６の音声データ送信装置。
【請求項９】
請求項１記載の装置において音声データのみを停止可能な映像・音声出力装置。
【請求項１０】
音声データと音声クロック情報パケットとの重畳データが入力される入力器と、
前記入力器に入力された前記重畳データから前記音声データを取り出してそのヘッダ情報を解析する解析器と、
前記入力器に入力された前記重畳データから前記音声クロック情報パケットを取り出して、その音声クロック情報パケットに基づいて再生クロックを生成する再生クロック生成器と、
前記再生クロックと前記音声データと前記映像データとを出力する出力器と、
を備える、
ことを特徴とする音声データ受信装置。
【請求項１１】
前記入力器に入力された前記音声データに設定されたサンプリング周波数を、この音声データ受信装置に適したサンプリング周波数に変更する変更器をさらに備える、
ことを特徴とする請求項１０の音声データ受信装置。
【請求項１２】
前記出力器は、出力する音声データの出力レベルを制限可能である、
ことを特徴とする請求項１０の音声データ受信装置。
【発明の詳細な説明】
【技術分野】
【０００１】
本発明は、ビデオデータと音声情報（音声クロック情報パケットと音声データ）を伝送するための方法及びシステム、並びにこのようなシステムに用いられる送信装置と受信装置に関する。
【背景技術】
【０００２】
近年、ビデオデータおよび音声情報（音声クロック情報パケットと音声データ）を、ＤＶＤプレーヤ等の映像音声データ送信装置からＴＶ受信機等の映像音声データ受信装置に送信する際には、ＨＤＭＩ（High-Definition Multimedia Interface）に応じた通信が実施される。ＨＤＭＩでは、ビデオデータおよび音声情報の著作権保護のために、ＨＤＣＰ（High-bandwidth Digital Content Protection system）で定められた機器認証が行われる。
【０００３】
ＨＤＭＩとは、新世代のマルチメディアＡＶ設備に対する伝送インターフェースであり、デジタルテレビやＤＶＤレコーダ、セットトップボックス（Set-top Box）及びその他デジタルＡＶ製品など、多くのデジタルＡＶ家電の信号伝送に用いられる。ＨＤＭＩは、従来の映像と音声とを分離した伝送方式を改善した伝送方式であって、統合信号で映像と音声を同時に伝送するマルチメディアインターフェースである。ＨＤＭＩは、非圧縮式の高解像度デジタルデータ伝送を採用することで高密度のデジタル信号を効果的に伝送することが可能であり、最大伝送速度は５Ｇｂｉｔ/ｓに達する。さらにＨＤＭＩは、出力ビデオ信号として、ＤＶＩ等のデジタル映像データを出力可能であり、また、同時に８つのチャンネルの音声信号を伝送することが可能である。ＨＤＭＩは、このような優れた特徴を有するデジタル製品必携のマルチメディア端子/インターフェースである。
【０００４】
ＨＤＣＰをさらに具体的にいうと、コンテンツを暗号化し送信する映像音声データ送信装置と、コンテンツを受信し復号する映像音声データ受信装置との間におけるコンテンツの伝送を保護するための規格のことである。ＨＤＣＰでは、認証プロトコルを用いて映像音声データ送信装置が映像音声データ受信装置の認証を行い、暗号化したコンテンツを送信する。ＨＤＣＰにおける機器認証は、ＩＩＣ(Inter−Integrated Circuit)に準拠したＤＤＣ（Display Data Channel）通信にて行われる。
【０００５】
ＨＤＭＩにおける相手機器情報となるＥＤＩＤ（Extended Display Identification Data)情報は、ＤＤＣ通信を用いて取得される。ＥＤＩＤ情報は、ＨＤＭＩが処理できる信号の種類についての機器情報,パネルの解像度などの情報、さらにはピクセルクロック,水平有効期間,垂直有効期間,最大出力オーディオサンプリング周波数などの情報を含む。ＤＤＣ通信を行うことで、接続相手機器の情報を取り込むことが可能となる。ＥＤＩＤ情報についての詳細は非特許文献１に記載される。
【０００６】
ＨＤＭＩに準じたケーブルで、映像音声データ送信装置と映像音声データ受信装置とを接続した状態を図１に示す。映像音声データ送信装置Ｔｘは、ＤＶＤドライブまたはＣＤドライブ（以下、ドライブという）１３と、ＨＤＭＩ ＬＳＩ１５と、Ｂ/Ｅ ＬＳＩ（Back/End）１１とを備える。Ｂ/Ｅ ＬＳＩ１１はＣＰＵを含む。ＣＰＵは、ドライブ１３を介して記録媒体（ＤＶＤ,ＣＤ等）から取得する音声/映像データをＨＤＭＩ ＬＳＩ１５や接続先機器（音声データ受信装置Ｒｘ）に送信する際における制御を行う。音声データ送信装置Ｔｘと音声データ受信装置ＲｘとはＨＤＭＩケーブルで接続される。符号２０は、音声データ送信装置Ｔｘが出力する音声データを再生するＡＶ ＡＭＰ２０である。ＡＶ ＡＭＰ２０と音声データ送信装置Ｔｘとは光ケーブルで接続される。
【０００７】
音声データ送信装置ＴｘはＢ/Ｅ ＬＳＩ１１が記録媒体から取得する音声データをＩ２ＳやＳＰＤＩＦ（ＩＥＣ６０９５８規格の光信号）の音声ラインを用いてＨＤＭＩ ＬＳＩ１５やＡＶ ＡＭＰ２０（音声ライン接続先機器）に出力する。映像音声データ送信装置Ｔｘでは、ＨＤＭＩ ＬＳＩ１５が音声データと音声クロック情報パケットとを設定したうえでそのデータ/パケットをＨＤＭＩケーブルを介して音声データ受信装置Ｒｘに送信する。音声データ受信装置Ｒｘは、受信したパケットに設定されている内容から受信中の音声情報に関する詳細な情報を得る。このパケットには、分周情報であるＮと時間情報であるＣＴＳと呼ばれる情報とが設定される。音声データと音声クロック情報パケットとは、非特許文献２に詳細に記載される。この技術文献においては、Audio Sample Packetが音声データに相当し、Audio Clock Regeneration Packetが音声クロック情報パケットに相当する。
【０００８】
分周情報Ｎと時間情報ＣＴＳとから音声のオーディオサンプリング周波数Ｆｓを算出することが可能である。その計算式は次の（１）で表される。
【０００９】
１２８＊Ｆｓ＝Ｆt＊Ｎ/ＣＴＳ  …  （１）
ここで分周情報Ｎと時間情報ＣＴＳとは映像音声データ送信装置Ｔｘが音声データを送信する際にＢ/Ｅ ＬＳＩ１１が生成するものとする。計算式中におけるＦｔはＴＭＤＳクロックである。
【００１０】
映像音声データ送信装置Ｔｘが音声データを生成する際におけるデータサンプリングに関する情報である分周情報Ｎと時間情報ＣＴＳとがＢ/Ｅ ＬＳＩ１１によって生成されたうえで、これらの情報Ｎ,ＣＴＳが音声データとともに映像音声データ送信装置Ｔｘから映像音声データ受信装置Ｒｘに向けて送信される。映像音声データ受信装置Ｒｘは受信した分周情報Ｎと時間情報ＣＴＳから、オーディオサンプリング周波数Ｆｓを判断する。例えば、ＴＭＤＳクロックＦｔが２５．２ＭＨｚ,時間情報ＣＴＳが２５２００である状態を想定する。この状態でオーディオサンプリング周波数Ｆｓを４８ｋＨｚにして音声データを出力する場合、映像音声データ送信装置Ｔｘは、分周情報Ｎを６１４４に設定する。また、オーディオサンプリング周波数Ｆｓを９６ｋＨｚにして音声データを出力する場合、映像音声データ送信装置Ｔｘは、分周情報Ｎを１２２８８に設定する。映像音声データ受信装置Ｒｘは、映像音声データ送信装置Ｔｘから送られてきた分周情報Ｎと時間情報ＣＴＳとに基づいてオーディオサンプリング周波数Ｆｓを決定する。なお、同様にＴＭＤＳクロックＦｔの変化に対しても、分周情報Ｎと時間情報ＣＴＳとを変化させることでオーディオサンプリング周波数Ｆｓを調整することができる。
【００１１】
音声データがＳＰＤＩＦの音声ラインを介して映像音声データ送信装置Ｔｘに入力される場合、ＨＤＭＩ ＬＳＩ１５が、音声データに応じてパケットヘッダ情報部分を変更することでオーディオサンプリング周波数Ｆｓを設定する。その際、ＨＤＭＩ ＬＳＩ１５は、上述した計算式（１）によって音声クロック情報パケットにおける分周情報Ｎと時間情報ＣＴＳとを設定する。映像音声データ受信装置Ｒｘは受信した音声データと音声クロック情報パケットとに基づいて、オーディオサンプリング周波数Ｆｓを判断する。映像音声データ受信装置Ｒｘのオーディオサンプリング周波数Ｆｓの判断については、その内容が特許文献１に詳細に記載されている。
【００１２】
音声データがＩ２Ｓ等の音声ラインを介して映像音声データ送信装置Ｔｘに入力される場合、ＨＤＭＩ ＬＳＩ１５が、音声データに応じて新規にパケットヘッダを付加させることでオーディオサンプリング周波数Ｆｓを設定する。その際、ＨＤＭＩ ＬＳＩ１５は、上述した計算式（１）によって音声クロック情報パケットにおける分周情報Ｎと時間情報ＣＴＳとを設定する。映像音声データ受信装置Ｒｘは受信した音声データと音声クロック情報パケットの情報とに基づいて、オーディオサンプリング周波数Ｆｓを判断する。
【特許文献１】特開２００５−６５０９３号公報
【非特許文献１】E-EDID  Implementation  Guide（VESA規格）
【非特許文献２】High-Definition Multimedia Interface Specification Version 1.3
【発明の開示】
【発明が解決しようとする課題】
【００１３】
映像音声データ送信装置Ｔｘから光ケーブルで接続されたＡＶ ＡＭＰ２０に光信号で音声データを出力する一方、ＨＤＭＩケーブルで接続された映像音声データ受信装置Ｒｘ（ＴＶ等）には映像信号だけを出力させたい場合を想定する。この場合、映像音声データ送信装置Ｔｘは、システム構成としてその内部に音声ラインが1本しか存在しないため、Ｂ/Ｅ ＬＳＩ１１が設定した音声データは、光モジュールであるＡＶ ＡＭＰ２０とＨＤＭＩ ＬＳＩ１５との両方に出力され、その際、Ｂ/Ｅ ＬＳＩ１１は分周情報Ｎと時間情報ＣＴＳとを固定した状態で音声データを両出力先に送信する。そのため、例えば、オーディオサンプリング周波数Ｆｓを９６ｋＨｚに設定してＡＶ ＡＭＰ２０に音声データを出力する場合、ＨＤＭＩケーブルで接続された映像音声データ受信装置Ｒｘにも９６ｋＨｚのオーディオサンプリング周波数Ｆｓで音声データを出力する。しかしながら、映像音声データ受信装置Ｒｘ（ＴＶ等）は９６ｋＨｚ以上のオーディオサンプリング周波数Ｆｓに対応しておらず、そのために、受信した音声データは、映像音声データ受信装置Ｒｘのスピーカから異音として発声される。
【００１４】
そこで本発明は、ＨＤＭＩ ＬＳＩから出力される音声データを最適値に制御することで異音の発生を防ぐことを主たる目的にする。
【課題を解決するための手段】
【００１５】
上記目的を達成するために、本発明に係わる音声データ送信装置は、
音声データが入力される入力器と、
前記入力器に入力された前記音声データの送信先である音声データ受信装置から、この音声データ受信装置の音声データ処理能力に関する情報を取得する情報取得器と、
前記情報取得器が取得した前記情報を解析する解析器と、
前記解析器の解析結果に基づいて、前記音声データ受信装置に適した前記音声データのヘッダ情報を生成したうえで、生成した前記ヘッダ情報を、前記入力器に入力された前記音声データに付加する情報付加器と、
前記入力器に入力された前記音声データに対応する音声クロック情報パケットを生成する情報パケット生成器と、
前記ヘッダ情報を付加した前記音声データに前記音声クロック情報パケットを重畳してなる重畳データを前記音声データ受信装置に出力する出力器と、
を備える。
【００１６】
この構成では、音声データ受信装置の対応周波数を音声データ処理能力に関する情報（ＥＤＩＤ情報）より解析して再生クロックを選択することになるが、音声データ送信装置と音声データ受信装置とを接続した際に、ＤＤＣラインから受信側の音声データ処理能力に関する情報（ＥＤＩＤ情報）を読み出すことができる。そこで、音声データ受信装置で対応可能なオーディオサンプリング周波数情報やチャネル数などの情報を読み出して正常な音声クロック情報パケットを選択することが可能になる。
【００１７】
本発明には、
前記入力器に入力された前記音声データに設定されたサンプリング周波数を、前記音声データ受信装置に適したサンプリング周波数に変更する変更器をさらに備える、
という態様がある。
【００１８】
この態様によれば、音声データ送信装置が送信する音声データのオーディオサンプリング周波数が、音声データ受信装置で処理できない場合を想定して、音声データ送信装置で設定するオーディオサンプリング周波数として、もとの値の１/２値,１/３値,１/４値などの値、またはどのような音声データ受信装置においても受信可能なオーディオサンプリング周波数の固定値をあらかじめ決めたうえで、送信する音声データのオーディオサンプリング周波数をその値に設定調整して調整済みの音声データを音声データ受信装置に送信する。
【００１９】
本発明には、
前記出力器は、出力する音声データの信号レベルを制限可能である、という態様がある。この構成によれば、オーディオサンプリング周波数を調整したうえで、さら送信する音声データの信号レベルを調整（例えば、０レベルに調整）して送信することで、音声データ受信装置側で異音が発声することを二重に防ぐことができる。
【００２０】
なお、前記入力器は、前記音声データとして、圧縮音声データと非圧縮音声データとの入力が可能であり、前記圧縮データは、IEC60958/61937規格の音声データであり、前記非圧縮データは、IEC60958規格及びI2S、Left-Justified、Right-Justifiedなどのフォーマットに対応した音声データである。
【００２１】
圧縮データの音声データが入力可能な上記構成によれば、パケットヘッダ情報におけるオーディオサンプリング周波数を、音声データ受信装置で処理可能なオーディオサンプリング周波数に設定して送信することができる。また、音声データ受信装置が圧縮された音声データに対応していない場合に非圧縮の音声データに切り替えて送信することができる。
【００２２】
非圧縮の音声データに対応可能な上記構成によれば、パケットヘッダ情報にオーディオサンプリング周波数を設定したうえで、そのパケットヘッダ情報を音声データに付加して送信することが可能になる。
【００２３】
なお、音声データ受信装置で処理可能なオーディオサンプリング周波数を設定し音声クロック情報パケットと音声データとを同時に出力停止してもよい。そうすれば、音声データ受信装置で処理可能なオーディオサンプリング周波数を設定したうえで、さらに音声クロック情報パケットと音声データとも出力停止にすることで、音声データ受信装置側に情報が届くことが全くなくなって異音の発生を二重に防ぐことができる。
【００２４】
なお、音声データ受信装置で処理可能なオーディオサンプリング周波数を設定し音声データを出力停止にしてもよい。そうすれば、音声データ受信装置で処理可能なオーディオサンプリング周波数を設定したうえで、さらに音声データだけを停止にすることで、音声データ受信装置に情報が届くことが全くなくなって異音の発生を二重に防ぐことができる。
【００２５】
なお、音声データだけを出力停止にしてもよい。そうすれば、音声データだけを停止にすることで、音声データ受信装置に情報が届くことが全くなくなって異音の発生を防ぐことができる。
【発明の効果】
【００２６】
本発明によれば、音声データ受信装置の音声データ処理能力に関する情報（ＥＤＩＤ情報）に基づいて音声データ受信装置にとって処理可能なオーディオサンプリング周波数を設定して音声データを送信することができる。これにより、音声データ受信装置において異音が発生することを防ぐことができる。また、出力する音声データの信号レベルを制限可能にすることで、異音の発生防止効果をより高めることができる。
【発明を実施するための最良の形態】
【００２７】
以下、本発明に係わる音声データ送信装置と音声データ受信装置の実施の形態について、図面を参照しながら詳細に説明する。
【００２８】
図２は、本実施の形態に係るデジタル伝送システムおよびクロック生成装置を含むＨＤＭＩ通信システムにおける送信側の構成（音声データ送信装置）を示すブロック図である。
【００２９】
図２に示すＨＤＭＩ通信システムは、音声データ送信装置の一例である映像音声データ送信装置１００（ＤＶＤプレーヤ等）と、音声データ受信装置の一例である映像音声データ受信装置２００（ＴＶ受信器等）とを備える。映像音声データ送信装置１００と映像音声データ受信装置２００とは、ＨＤＭＩケーブル３００を介して接続される。
【００３０】
映像音声データ送信装置１００は、ＨＤＭＩケーブル３００を介して映像音声データ受信装置２００に映像データと音声データとを送信する。映像音声データ送信装置１００は、ＨＤＭＩケーブル３００を介して映像音声データ受信装置２００との間でＤＤＣ通信を行う。映像音声データ送信装置１００は、ＤＤＣ通信を用い、映像音声データ受信装置２００に対しＨＤＣＰ規格における機器認証を行う。映像音声データ送信装置１００は、ＨＤＭＩ ＬＳＩ１０１と、Ｂ/Ｅ ＬＳＩ１５０とを備える。
【００３１】
Ｂ/Ｅ ＬＳＩ１５０は映像音声データ送信装置全体の制御を行う判断器１５１を備える。映像音声データ送信装置１００は映像音声データ受信装置２００との間の接続を確認できた後、ＤＤＣ通信により映像音声データ受信装置２００からＥＤＩＤ情報を読み出す。ＥＤＩＤ情報の読み出しは、ＣＰＵ Ｉ/Ｆ１３２とレジスタブロック１３０とＤＤＣ Ｉ/Ｆ１３１とＥＤＩＤ ＲＯＭ２０２とが協働して実行する。ＥＤＩＤ情報読み出し処理に関する詳細を図４に示す。
【００３２】
図４は、本実施の形態に係る音声データ送信装置と音声データ受信装置のＥＤＩＤ情報の読み出しとオーディオサンプリング周波数Ｆｓ制御との処理の流れを示す。ＥＤＩＤ情報の読み出し処理とＦｓ制御処理とにおいて重要な役割を果たす、Ｂ/Ｅ ＬＳＩ１５０,判断器１５１,ＣＰＵ Ｉ/Ｆ１３２,レジスタブロック１３０,ＤＤＣ Ｉ/Ｆ１３１,ＨＤＭＩケーブル３００,ＥＤＩＤ ＲＯＭ２０２,クロック情報パケット生成器１１７,セレクタ１１４,Ｄｏｗｎ Ｓａｍｐｌｉｎｇ制御器１１６,およびクロック/音声データ/Ｍｕｔｅ制御器１１８を抜粋したものである。
【００３３】
映像音声データ送信装置１００が映像音声データ受信装置２００との接続を確認すると、判断器１５１は、ＥＤＩＤ情報の読み出しを実行する。ＥＤＩＤ情報の読み出しは、図４における（１）→（２）→（３）→（４）→（５）→（４）→（３）→（２）→（１）に示す処理で実行される。以下、説明する。
【００３４】
まず、判断器１５１が、ＣＰＵ Ｉ/Ｆ１３２を経由しレジスタブロック１３０にＥＤＩＤ情報の読み出し命令を送信する。読み出し命令の送信は、図４における（１）→（２）→（３）に示す流れで実行される。ＥＤＩＤ情報の読み出し命令を受けたレジスタブロック１３０は、ＤＤＣ Ｉ/Ｆ１３１を介したＨＤＭＩケーブル３００経由のＤＤＣ通信によって、映像音声データ受信装置２００のＥＤＩＤ ＲＯＭ２０２からＥＤＩＤ情報を取得する。ＥＤＩＤ情報の取得は、図４における（４）→（５）→（４）に示す流れで実行される。Ｂ/Ｅ ＬＳＩ１５０内の判断器１５１は、取得したＥＤＩＤ情報をＣＰＵ Ｉ/Ｆ１３２を経由して取り込んで保持する。ＥＤＩＤ情報の保持は、図４における（３）→（２）→（１）に示す流れで実行される。
【００３５】
ＥＤＩＤ情報は、ＨＤＭＩで処理可能な信号の種類に関する機器情報,パネルの解像度情報,ピクセルクロック情報,水平有効期間情報,垂直有効期間情報,最大オーディオサンプリング周波数Ｆｓの情報等を含んでおり、ＨＤＭＩ ＬＳＩ１０１の制御を行う場合に必要な情報である。判断器１５１は保持したＥＤＩＤ情報に基づいて、ＨＤＭＩ ＬＳＩ１０１におけるクロック情報パケット生成器１１７,情報付加器１１３,セレクタ１１４,Ｄｏｗｎ Ｓａｍｐｌｉｎｇ制御器１１６,およびクロック/音声データ/Ｍｕｔｅ制御器１１８の各ブロックの制御を行う。各ブロックの制御は、図４における（１）→（２）→（３）→（６）に示す流れで実行される。
【００３６】
判断器１５１は、ＥＤＩＤ情報取得以外にも映像音声データ送信装置１００全体の制御も行う。映像音声データ送信装置１００にＣＤ,ＤＶＤ等の記録媒体がデータ読み出し可能に装填された場合、Ｂ/Ｅ ＬＳＩ１５０は、ＤＶＤ/ＣＤドライブ１５６が再生した映像データ,音声データを取得する。映像音声データ送信装置１００Ｂ/Ｅ ＬＳＩ１５０は取得したデータに解像度情報,カラー情報,オーディオサンプリング周波数Ｆｓ情報,チャネル情報などを設定する。これらの情報は、判断器１５１で保持しているＥＤＩＤ情報などをもとにして設定される。各種情報が設定された映像データは映像データ送信ライン１５４からＨＤＭＩ ＬＳＩ１０１にデータ送信され、音声データは音声データ送信ライン１５２から音声ライン１５３接続先の機器にデータ送信される。音声データ送信ライン１５２はＩ２ＣラインとＳＰＤＩＦラインとを含む。Ｉ２Ｃラインは、Ｉ２ＳまたはＬ−Ｒクロック出力に同期してデータを出力するデータ前詰めまたはデータ後詰めのデータ形式を有する。Ｂ/Ｅ ＬＳＩ１５０は、音声データを、ライン１５２（Ｉ２ＳラインとＳＰＤＩＦラインを含む）を経由してＨＤＭＩ ＬＳＩのＩ２Ｓ入力１１２とＳＰＤＩＦ入力１１１とにそれぞれ送信する。
【００３７】
ＨＤＭＩ ＬＳＩ１０１は、Ａｕｄｉｏ制御ブロック１１０と、映像処理ブロック１３３と、レジスタ制御を行うレジスタブロック１３０とを備える。映像処理ブロック１３３には、Ｂ/Ｅ ＬＳＩ１５０から映像データが送られる。映像データは映像データ送信ライン１５４から映像Ｉ/Ｆ１４０を介して映像処理ブロック１３３に送られる。映像処理ブロック１３３は、送られてきた映像データに各種の信号処理を施したうえで処理済の映像データをＨＤＭＩ出力器１２０から映像音声データ受信装置２００に送信する。
【００３８】
レジスタブロック１３０は、ＩＩＣ通信,ＤＤＣ通信を用いたＥＤＩＤ情報の取得動作の制御を行う。さらにレジスタブロック１３０は、クロック情報パケット生成器１１７,セレクタ１１４,Ｄｏｗｎ Ｓａｍｐｌｉｎｇ制御器１１６,クロック/音声データ/Ｍｕｔｅ制御器１１８,および映像処理ブロック１３３の動作制御を行う。これらの動作制御は判断器１５１による命令に基づいて行われる。
【００３９】
Ａｕｄｉｏ制御ブロック１１０は、ＳＰＤＩＦ入力器１１１と、Ｉ２Ｓ入力器１１２と、Ｄｏｗｎ Ｓａｍｐｌｉｎｇ処理を行うＤｏｗｎ Ｓａｍｐｌｉｎｇ制御器１１６と、音声クロック情報パケットを生成するクロック情報パケット生成器１１７と、音声データと音声クロック情報パケットの制御やＭｕｔｅ制御を行うクロック/音声データ/Ｍｕｔｅ制御器１１８とを含む。ＳＰＤＩＦ入力器１１１とＩ２Ｓ入力器１１２とは、Ｂ/Ｅ ＬＳＩ１５０から音声データを受け取る。
【００４０】
Ｂ/Ｅ ＬＳＩ１５０からＳＰＤＩＦ入力器１１１とＩ２Ｓ入力器１１２とに送られた音声データは、情報付加器１１３とセレクタ１１４とで制御される。Ｂ/Ｅ ＬＳＩ１５０からセレクタ１１４までのＳＰＤＩＦの詳細を図５に、同じくＩ２Ｓの詳細を図６に示す。
【００４１】
図５のＳＰＤＩＦの場合、Ｂ/Ｅ ＬＳＩ１５０からＳＰＤＩＦ入力器１１１に音声データ５１０が送られる。ここで、Ｐ．Ｈはパケットのヘッダ情報、ＤＡＴＡはＡｕｄｉｏのＤＡＴＡ情報を示す。送られてきた音声データ５１０に、オーディオサンプリング周波数Ｆｓやチャネル数の情報変換などが必要と判断する場合、情報付加器１１３は、チャネル数と新たなオーディオサンプリング周波数Ｆｓののヘッダ情報となるＰ．Ｈ５１２を音声データ５１０に上書きする。さらに情報付加器１１３は、ＨＤＭＩ ＬＳＩ１０１内部でのパケットのヘッダ情報となるＨＤＭＩ．Ｐ．Ｈ５１１を音声データ５１０に付加する。そのうえで、情報付加器１１３は、ＨＤＭＩ．Ｐ．Ｈ５１１を付加した音声データ５１０（上書き済）を音声データ５１４としてセレクタ１１４に送る。なお、Ｐ．Ｈの変換が不要の場合、情報付加器１１３は、ＨＤＭＩ．Ｐ．Ｈ５１１を付加した音声データ５１０（未上書き）を音声データ５１３としてセレクタ１１４に送る。
【００４２】
図６のＩ２Ｓ処理の場合、Ｂ/Ｅ ＬＳＩ１５０からＩ２Ｓ入力器１１２に、音声データ６１０が出力される。Ｉ２Ｓ処理では、ＳＰＤＩＦと異なり、一般にパケットヘッダ情報が付加されない音声データのみが送信される。したがって、Ｉ２Ｓ処理ではパケットヘッダ情報がない音声データ６１０がＩ２Ｓ入力器１１２に届くことになる。本実施形態では、Ｉ２Ｓ入力器１１２に届いた音声データ６１０は情報付加器１１３に入力され、ここで、Ｉ２Ｓ処理で必要となるオーディオサンプリング周波数Ｆｓとチャネルのヘッダ情報となるＨＤＭＩ．Ｐ．Ｈ６１１が音声データ６１０に付加される。以下、このようにしてヘッダ情報が付加された音声データ６１０を音声データ６１２という。音声データ６１２はセレクタ１１４に送られる。なお、ここでいうＩ２Ｓ処理では、通常のＩ２Ｓ処理の他、Ｌ−Ｒクロック出力に同期してデータを出力する前詰め形式のＩ２Ｓ処理または後詰めの形式のＩ２Ｓ処理であってもよい。
【００４３】
以上が図５,図６についてのＳＰＤＩＦとＩ２Ｓ処理の詳細である。情報付加器１１３は、上述したようにパケットヘッダ情報におけるオーディオサンプリング周波数Ｆｓの値を、判断器１５１で保持しているＥＤＩＤ情報に基づいて調整する。この処理は、図４における（１）→（２）→（３）→（６）の流れが参照される。ここで、情報付加器１１３には、Ｄｏｗｎ Ｓａｍｐｌｉｎｇ制御器１１６からオーディオサンプリング周波数Ｆｓに関する情報が送られてくる場合もある。この状態は図４における（１）→（２）→（３）→（６）→（７）→（８or９）の流れが参照される。この場合であっても、クロック情報パケット生成器１１７は、オーディオサンプリング周波数Ｆｓの情報に基づいて分周情報Ｎと時間情報ＣＴＳとを含む音声クロック情報パケットを生成する。
【００４４】
上記処理が終了した後、セレクタ１１４に音声データが届く。セレクタ１１４は、Ｉ２Ｓの音声データとＳＰＤＩＦの音声データとを判断器１５１の指示に基づいて切り替えて出力することが可能である（図４の（１）→（２）→（３）→（６）の流れを参照）。
【００４５】
判断器１５１が、ＥＤＩＤ情報解析に基づいてオーディオサンプリング周波数Ｆｓの設定を変更する必要があると判断する場合、セレクタ１１４に届いた音声データは、Ｄｏｗｎ Ｓａｍｐｌｉｎｇ制御器１１６に送られる。反対にオーディオサンプリング周波数Ｆｓの設定を変更する必要がないと判断する場合、セレクタ１１４に届いた音声データは、クロック/音声データ/Ｍｕｔｅ制御器１１８に送られる。
【００４６】
ここで、従来技術と異なる点を説明するために、図３に従来例を示す。従来例の構成では図２に示すＤｏｗｎ Ｓａｍｐｌｉｎｇ制御器１１６が設けられておらず、セレクタ１１４は、全ての音声データをクロック/音声データ/Ｍｕｔｅ制御器１１８に送る。
【００４７】
図２のクロック情報パケット生成器１１７は、分周情報Ｎと時間情報ＣＴＳとを含んだ音声クロック情報パケットを生成する。ここで、分周情報Ｎと時間情報ＣＴＳ情報とは、判断器１５１からの情報（図４における（１）→（２）→（３）→（６）の流れを経て生成される）、またはＤｏｗｎ Ｓａｍｐｌｉｎｇ制御器１１６で設定されるオーディオサンプリング周波数Ｆｓの情報（図４における（１）→（２）→（３）→（６）→（７）→（８or９）の流れを経て生成される）に基づいて、計算式（１）をより算定される。クロック情報パケット生成器１１７は、算定した周情報Ｎと時間情報ＣＴＳ情報とに基づいて音声クロック情報パケットを生成する。
【００４８】
セレクタ１１４は、ＥＤＩＤ情報解析に基づき、音声クロック情報パケットにおけるオーディオサンプリング周波数Ｆｓの設定を変更する必要があると判断する場合、その音声クロック情報パケットが付加された音声データをＤｏｗｎ Ｓａｍｐｌｉｎｇ制御器１１６に送る。反対にオーディオサンプリング周波数Ｆｓの設定を変更する必要がないと判断する場合、セレクタ１１４は、その音声データをクロック/音声データ/Ｍｕｔｅ制御器１１８に送る。
【００４９】
Ｄｏｗｎ Ｓａｍｐｌｉｎｇ制御器１１６はセレクタ１１４を介して送られてきた音声データ（オーディオサンプリング周波数Ｆｓの値を変更する必要がある）を、情報付加器１１３やクロック情報パケット生成器１１７に送り、これらの処理器１１３,１１４で音声データのオーディオサンプリング周波数Ｆｓを再設定させる。Ｄｏｗｎ Ｓａｍｐｌｉｎｇ制御器１１６によるオーディオサンプリング周波数Ｆｓの再設定の制御の流れを図４に示す。オーディオサンプリング周波数Ｆｓの再設定は、図４における（１）→（２）→（３）→（６）→（７）→（８or９）の流れで行われる。以下、オーディオサンプリング周波数Ｆｓを再設定の詳細を説明する。
【００５０】
まず、判断器１５１が、オーディオサンプリング周波数Ｆｓの再設定（ダウンサンプリング）をするか否かを示す情報と、再設定する場合におけるオーディオサンプリング周波数Ｆｓの設定情報とを、ＥＤＩＤ情報に基づいて生成する。判断器１５１は、生成した情報をレジスタブロック１３０を経由してＤｏｗｎ Ｓａｍｐｌｉｎｇ制御器１１６に送る。情報は、図４における（１）→（２）→（３）→（６）→（７）の流れで送られる。Ｄｏｗｎ Ｓａｍｐｌｉｎｇ制御器１１６は判断器１５１から送られてきた情報を、情報付加器１１３（図４における（８））とクロック情報パケット生成器１１７（図４における（９））に送る。なお、すでに生成された音声データと音声クロック情報パケットとにおけるオーディオサンプリング周波数Ｆｓを再設定する場合も、図４における（８）,（９）の流れによって処理が行われる。
【００５１】
オーディオサンプリング周波数Ｆｓの再設定においては、オーディオサンプリング周波数Ｆｓを固定値にすることも可能であるが、元の値の１/２または１/４の値に変化させて設定することも可能である。固定値にする場合は、
・ＥＤＩＤ情報で取得した最小のオーディオサンプリング周波数Ｆｓに固定する、
・全ての機器が受信可能なオーディオサンプリング周波数Ｆｓに固定する、
ことが可能である。なお、オーディオサンプリング周波数Ｆｓを元の値の１/２,１/４に変化させて設定する場合、判断器１５１は、ＥＤＩＤ情報に基づいて元の値を、１/２または１/４に変化させる。
【００５２】
図４を参照してオーディオサンプリング周波数Ｆｓを任意の固定値または元の値の１/２,１/４に変化させて固定する場合の制御の詳細を説明する。
【００５３】
以下の説明では、
・オーディオサンプリング周波数Ｆｓとして１９２ｋＨｚが設定されている、
・映像音声データ受信装置２００は最大Ｆｓ出力が９６ｋＨｚであるＥＤＩＤ情報をＥＤＩＤ  ＲＯＭ２０２内に保持している、
ことを前提にする。
【００５４】
図１に例示されるように、映像音声データ送信装置１００とＡＶ ＡＭＰ（音声ライン１５３の接続相手機器）とが音声ライン１５３を介して光ケーブルで接続されると、このオーディオサンプリング周波数Ｆｓに関する情報が音声データ送信ライン１５２を介してＨＤＭＩ ＬＳＩ１０１とＡＶ ＡＭＰに送信される。
【００５５】
そうすると、
・Ｂ/Ｅ ＬＳＩ１５０が既にＡＶ ＡＭＰ（音声ライン１５３の接続相手機器）に接続されているために、映像音声データ送信装置１００はＡＶ ＡＭＰに音声出力を出力することを優先するモード（ＨＤＭＩ音声出力は非優先モード）となり、
・ＨＤＭＩ（映像音声データ受信装置２００）が接続されると、ＡＶ ＡＭＰへの出力に対応するオーディオサンプリング周波数Ｆｓ（１９２ｋＨｚ）がＨＤＭＩ ＬＳＩ１０１に送信される。
【００５６】
一方、音声ライン１５３にＡＶ ＡＭＰ（音声ライン１５３の接続相手機器）が接続されなくなると、
・映像音声データ送信装置１００はＨＤＭＩ（映像音声データ受信装置２００）向けの音声出力を優先するモードとなり、
・Ｂ/Ｅ ＬＳＩ１５０でオーディオサンプリング周波数Ｆｓを変換することが可能になる。
【００５７】
また、図４の上記状態でオーディオサンプリング周波数Ｆｓの固定値４８ｋＨｚでダウンサンプリングを設定する場合、ＨＤＭＩを介して映像音声データ受信装置２００が映像音声データ送信装置１００に接続されると、前述したＥＤＩＤ情報の取得処理（図４における（１）→（２）→（３）→（４）→（５）→（４）→（３）→（２）→（１）の流れ）により、判断器１５１がＥＤＩＤ ＲＯＭ２０２のＥＤＩＤ情報を取得する。判断器１５１は、ＨＤＭＩ ＬＳＩ１０１に音声データを出力する際に設定されたオーディオサンプリング周波数Ｆｓ（１９２ｋＨｚ）がＨＤＭＩ接続先の映像音声データ受信装置２００で有効であるか否かを、取得したＥＤＩＤ情報に基づいて判断する。この場合、ＥＤＩＤ情報において映像音声データ受信装置２００の最大Ｆｓ出力（９６ｋＨｚ）と設定されているオーディオサンプリング周波数Ｆｓ（１９２ｋＨｚ）とが比較されることで、オーディオサンプリング周波数Ｆｓを固定値４８ｋＨｚにダウンサンプリングする必要があると判断される。このような判断を下した判断器１５１は、レジスタブロック１３０を介してＤｏｗｎ Ｓａｍｐｌｉｎｇ制御器１１６に、ダウンサンプリング指示情報とＦｓ設定情報４８ｋＨｚとを送信する。この情報送信は、図４における（１）→（２）→（３）→（６）→（７）の流れで実行される。
【００５８】
ダウンサンプリングをするという情報が届いたＤｏｗｎ Ｓａｍｐｌｉｎｇ制御器１１６は、送信されたＦｓ設定情報（４８ｋＨｚ）を情報付加器１１３に送信し（図４における（８））、さらにＦｓ設定情報（４８ｋＨｚ）をクロック情報パケット生成器１１７に送信する（図４における（９））。情報付加器１１３は、受け取ったＦｓ設定情報（４８ｋＨｚ）をパケット情報ヘッダ（図５の５１２または図６の６１１）に設定することにより音声データを生成する。クロック情報パケット生成器１１７は、受け取ったＦｓ設定情報（４８ｋＨｚ）における分周情報Ｎと時間情報ＣＴＳとから前述した計算式（１）に基づいて音声クロック情報パケットを生成する。
【００５９】
また同条件でオーディオサンプリング周波数Ｆｓを元の値の１/２や１/４に変更する際にダウンサンプリングを設定する場合、映像音声データ受信装置２００がＨＤＭＩを介して映像音声データ送信装置１００に接続された後、判断器１５１が、前述したＥＤＩＤ情報の取得処理（図４における（１）→（２）→（３）→（４）→（５）→（４）→（３）→（２）→（１）の流れ）でＥＤＩＤ ＲＯＭ２０２のＥＤＩＤ情報を取得する。判断器１５１は、取得したＥＤＩＤ情報に基づいて、ＨＤＭＩ ＬＳＩ１０１に音声出力する際のオーディオサンプリング周波数Ｆｓ値（１９２ｋＨｚ）がＨＤＭＩ接続先である映像音声データ受信装置２００に対して有効であるか否かを判断する。本実施の形態において判断器１５１は、ＥＤＩＤ情報に設定されている映像音声データ受信装置２００の最大Ｆｓ出力（９６ｋＨｚ）と出力状態となっているオーディオサンプリング周波数Ｆｓ値（１９２ｋＨｚ）とを比較する結果、オーディオサンプリング周波数Ｆｓ（１９２ｋＨｚ）を１/２の９６ｋＨｚにダウンサンプリングする必要があると判断する。以上の判断を下した判断器１５１は、図４における（１）→（２）→（３）→（６）→（７）の流れでレジスタブロック１３０を介してダウンサンプリング指示情報とＦｓ設定情報（９６ｋＨｚ）とをＤｏｗｎ Ｓａｍｐｌｉｎｇ制御器１１６に送信する。Ｄｏｗｎ Ｓａｍｐｌｉｎｇ制御器１１６は、ダウンサンプリングの指示情報とＦｓ設定情報（９６ｋＨｚ）とが届くと、受信したＦｓ設定情報（９６ｋＨｚ）を、情報付加器１１３に送り（図４における（８））、さらにクロック情報パケット生成器１１７に送る（図４における（９））。情報付加器１１３は、受信したＦｓ設定情報(９６ｋＨｚ)に、パケット情報ヘッダ（図５の５１２または図６の６１１）の設定に基づいて、図５と図６とを参照して前述した処理を施すことで音声データを生成する。クロック情報パケット生成器１１７は、Ｆｓ設定情報（９６ｋＨｚ）の情報の中身であるオーディオサンプリング周波数Ｎと時間情報ＣＴＳとを、計算式（１）に代入し、得られた値に基づいて音声クロック情報パケットを生成する。以上がオーディオサンプリング周波数Ｆｓを、所定の固定値,１/２変更値,または１/４変更値に設定する際の実施例である。
【００６０】
クロック/音声データ/Ｍｕｔｅ制御器１１８は、音声データと音声クロック情報パケットとを、停止する制御やＭｕｔｅする制御を行うことができる。音声データだけを停止させる場合、クロック/音声データ/Ｍｕｔｅ制御器１１８は、音声データだけを停止させ、クロック情報パケットを正常処理する。音声クロック情報パケットと音声データとの両方を停止させる場合、クロック/音声データ/Ｍｕｔｅ制御器１１８は、音声クロック情報パケットと音声データとの両方を停止させる。また、Ｍｕｔｅ処理を行う場合は、クロック/音声データ/Ｍｕｔｅ制御器１１８は、０データに変換した音声データをＭｕｔｅ情報として出力する。
【００６１】
Ａｕｄｉｏブロック１１０は、音声データをＨＤＭＩ出力１２０よりＨＤＭＩケーブル３００を経由し映像音声データ受信装置２００に送信する。Ａｕｄｉｏブロック１１０における音声データの扱いは、映像処理ブロック１４０における映像データの扱いと同様である。
【００６２】
このように本実施の形態に係るデジタル伝送システムおよびクロック生成装置では、Ｂ/Ｅ ＬＳＩ１５２より送られてきた映像データは映像処理ブロック１４０で処理され、音声データはレジスタブロック１３０より取得したＥＤＩＤ情報に基づいてＡｕｄｉｏブロック１１０で処理される。そのうえで、映像データと音声データとは、ＨＤＭＩ出力器１２０を通して映像音声データ受信装置２００に送られる。
【００６３】
図７は本実施の形態に係るデジタル伝送システムおよびクロック生成装置を含むＨＤＭＩ通信システムの受信側の構成を示すブロック図である。ＨＤＭＩ入力器２０１に届いたＨＤＭＩ情報は、Ａ/Ｖ Ｃｏｎｔｒｏｌｌｅｒ２２０に送られる。Ａ/Ｖ Ｃｏｎｔｒｏｌｌｅｒ２２０は、ＨＤＭＩ ＬＳＩ２１０に設けられており、受信側の映像データと音声データとの制御を行う。Ａ/Ｖ Ｃｏｎｔｒｏｌｌｅｒ２２０は届いたＨＤＭＩ情報の映像データを映像 Ｉ/Ｆ２１１に送り、音声データをＡｕｄｉｏ Ｉ/Ｆ２１３におくり、クロックをＡｕｄｉｏ ＰＬＬ２１２に送る。
【００６４】
Ｂ/Ｅ ＬＳＩ２３０は映像音声データ受信装置全体の制御を行う判断器２３１を備える。判断器２３１は受信したＨＤＭＩ情報などを基づいて各ブロックの制御を行う。Ｂ/Ｅ ＬＳＩ２３０は、Configuration Registers and Status Controller２１４と協働してこの制御を行う。Configuration Registers and Status Controller２１４は、Ｂ/Ｅ ＬＳＩ２３０より送られた制御内容に基づいて、Ａ/Ｖ Ｃｏｎｔｒｏｌｌｅｒ２２０,Ａｕｄｉｏ ＰＬＬ２１２,ＥＤＩＤ ＲＯＭ２０２の制御を行う。ここでいう制御とは、Ｍｕｔｅ処理やＥＤＩＤリードなどの各処理ブロックの制御のことである。Ａｕｄｉｏ ＰＬＬ２１２は、送られてきた映像音声データ送信装置１００側のクロックに基づいて映像音声データ受信装置２００で用いるクロックを生成する。
【００６５】
図８は受信側にＤｏｗｎ Ｓａｍｐｌｉｎｇ制御器２２１を設けた構成を示す。Ａ/Ｖ Ｃｏｎｔｒｏｌｌｅｒ２２０に音声データが届くと、Ｄｏｗｎ Ｓａｍｐｌｉｎｇ制御器２２１（Ａ/Ｖ Ｃｏｎｔｒｏｌｌｅｒ２２０に設けられる）は、届いた音声データにおけるオーディオサンプリング周波数ＦｓとEDID ROM２０２に格納されている受信側最大出力Ｆｓ情報とを比較する。届いた音声データにおけるオーディオサンプリング周波数Ｆｓが、最大出力Ｆｓを超えている場合、Ｄｏｗｎ Ｓａｍｐｌｉｎｇ制御器２２１は、受信側に適した分周情報Ｎと時間情報ＣＴＳとを再設定することが可能であると判断する。Ｍｕｔｅ制御器２１５は、Configuration Registers and Status Controller２１４から送られてくる制御内容に基づいてＭｕｔｅ制御を行う。この場合、Ａ/Ｖ Ｃｏｎｔｒｏｌｌｅｒ２２０からは、分周情報Ｎと時間情報ＣＴＳとに応じたＤｏｗｎＳａｍｐｌｉｎｇを行った音声データが送られてくるが、Ｍｕｔｅ制御器２１５は、その音声データを０データにすることでＭｕｔｅにすることができる。
【００６６】
映像音声データ送信装置１００が、オーディオサンプリング周波数Ｆｓ（９６ｋＨｚ）に対応する分周情報Ｎと時間情報ＣＴＳとを、映像音声データ受信装置２００（対応可能なオーディオサンプリング周波数Ｆｓは４８ｋＨｚである）に送った場合の処理について図１３を参照して説明する。ＨＤＭＩ出力器１２０より誤ってオーディオサンプリング周波数Ｆｓ（９６ｋＨｚ）の分周情報Ｎと時間情報ＣＴＳとをＨＤＭＩケーブル３００を介してＨＤＭＩ入力器２０１に送った場合、ＨＤＭＩ入力器２０１は、受け取った分周情報Ｎと時間情報ＣＴＳとをＡ/Ｖ Ｃｏｎｔｒｏｌｌｅｒ２２０に送る（図１３における（１）→（２）の流れ）。
【００６７】
Ｂ/Ｅ ＬＳＩ（ＣＰＵ）２３０は、ＥＤＩＤ ＲＯＭ２０２に格納されている受信可能な最大Ｆｓ情報（ここではオーディオサンプリング周波数Ｆｓ４８ｋＨｚまで受信可能であることを示す）を取得する（図１３の（３）→（４）の流れ）。さらに判断器２３１は、Ａ/Ｖ Ｃｏｎｔｒｏｌｌｅｒ２２０から分周情報Ｎ（９６ｋＨｚ：オーディオサンプリング周波数Ｆｓ９６ｋＨｚに対応）と時間情報ＣＴＳ（９６ｋＨｚ：オーディオサンプリング周波数Ｆｓ９６ｋＨｚに対応）とを取り込み、これらの情報を、ＥＤＩＤ ＲＯＭ２０２から取得する受信可能な最大Ｆｓ情報（４８ｋＨｚ）と比較する（図１３における（５）→（４）の流れ）。
【００６８】
この場合、判断器２３１は、Ａ/Ｖ Ｃｏｎｔｒｏｌｌｅｒ２２０から取り込んだ分周情報Ｎ（９６ｋＨｚ）と時間情報ＣＴＳ（９６ｋＨｚ）とが示すオーディオサンプリング周波数Ｆｓ（９６ｋＨｚ）は、受信可能な最大Ｆｓ情報（４８ｋＨｚ）におけるオーディオサンプリング周波数Ｆｓ（４８ｋＨｚ）より大きいと判断する。このような判断を下した判断器２３１は、Ａ/Ｖ Ｃｏｎｔｒｏｌｌｅｒ２２０に、ＤｏｗｎＳａｍｐｌｉｎｇを行うための制御情報を送る（図１３における（４）→（５）の流れ）。
【００６９】
Ａ/Ｖ Ｃｏｎｔｒｏｌｌｅｒ２２０がＤｏｗｎＳａｍｐｌｉｎｇ制御情報を受け取ると、Ａ/Ｖ Ｃｏｎｔｒｏｌｌｅｒ２２０にあるＤｏｗｎＳａｍｐｌｉｎｇ制御器２２１は、
・分周情報Ｎと時間情報ＣＴＳとのおけるＦｓ値を、処理可能なＦｓ値になるように再設定したうえで、クロックをＡｕｄｉｏ ＰＬＬ２１２に送り、音声データをＭｕｔｅ制御器２１５に送る制御、
または、
・クロックと音声データの停止処理を行い出力時に異音が出ないように処理する制御、
を実施する（図１３における（６））。
【００７０】
また分周情報Ｎと時間情報ＣＴＳ情報とがこの音声データ受信装置で処理できないものと判断する場合、判断器２３１は、Ｍｕｔｅ制御器２１５にＭｕｔｅ制御情報を送って音声データのＭｕｔｅ処理を行わせたうえでＭｕｔｅ処理済の音声データを、Ａｕｄｉｏ Ｉ/Ｆ２１３に送ることも可能である（図１３における（４）→（７）の流れ）。このようにして、図１３における（１）〜（７）の流れで処理を実施することにより、受信装置２００が対応していない分周情報Ｎ,時間情報ＣＴＳを有する音声データを、受信装置２００で扱うことが可能になる。
【００７１】
図９と図１０とは音声データ送信装置１００の全体の流れを示すフローチャートである。
【００７２】
図９に示すように、音声データ送信装置１００は、映像音声データ受信装置２００と接続状態になるまで、ＨＤＭＩ接続の確認を行う（Ｓ１００）。ＨＤＭＩケーブル３００が接続され、ＨＤＭＩ接続が確認されると、音声データ送信装置１００は、映像音声データ受信装置２００が見つかったと判断して、以下の接続処理を開始する。すなわち、ＥＤＩＤ情報の読み出しがレジスタブロック１３０を介して開始される（Ｓ１０１）。ＥＤＩＤ情報の読み出しが完了するとＥＤＩＤ情報が解析される（Ｓ１０２）。ＥＤＩＤ情報の解析により映像音声データ受信装置の対応可能Ｆｓ情報,チャネル数,ＳＰＤＩＦ,Ｉ２Ｓの対応状態などが読み出される。読み出される情報は、Ｂ/Ｅ ＬＳＩ１５０が判断を行う際に用いられる。ＥＤＩＤ情報解析完了後、ＳＴＥＰ２（図１０参照）に処理が移行する。
【００７３】
ＳＴＥＰ２では、まず、ＨＤＭＩ音声優先状態かどうかが判断される（Ｓ２０１）。Ｓ２０１の判断において、映像音声データ送信装置１００と映像音声データ受信装置２００とが、ＨＤＭＩを介して接続されているもののＨＤＭＩ以外のオーディオ機器が映像音声データ送信装置１００に接続されていないことが確認されると、ＨＤＭＩ音声出力優先モードであると判断される。このような判断が下されると、Ｂ/Ｅ ＬＳＩ１５０でオーディオサンプリング周波数Ｆｓの調整を行う必要があると見なされてＳ２０２に処理が移行する。
【００７４】
一方、Ｓ２０１の判断において、映像音声データ送信装置１００と映像音声データ受信装置２００とがＨＤＭＩを介して接続されているうえに、ＨＤＭＩ以外のオーディオ機器が映像音声データ送信装置１００に接続されていることが確認されると、ＨＤＭＩ音声出力非優先モードであると判断される。このような判断が下されると、ＨＤＭＩ ＬＳＩ２１４でオーディオサンプリング周波数Ｆｓの調整を行う必要があると見なされてＳ２０５に処理が移行する。
【００７５】
Ｓ２０１においてＨＤＭＩ音声出力優先モードと判断されて実施されるＳ２０２の処理では、Ｂ/Ｅ ＬＳＩ１５０で最初にオーディオサンプリング周波数Ｆｓの処理が必要であるか否かが判断される（Ｓ２０２）。Ｓ２０２の判断で、オーディオサンプリング周波数Ｆｓの変更が必要であると判断される場合、Ｂ/Ｅ ＬＳＩ１５０のオーディオサンプリング周波数Ｆｓが算出されたうえで、算出されたオーディオサンプリング周波数Ｆｓが、音声データ受信装置２００に対応した音声データと音声クロック情報パケットとに設定される（Ｓ２０３）。この設定処理は、Ｓ１０２で解析を行ったＥＤＩＤ情報に基づいて行われる。その後、Ｂ/Ｅ ＬＳＩ１５０から音声データが出力される（Ｓ２０４）。
【００７６】
一方、Ｓ２０２の判断で、オーディオサンプリング周波数Ｆｓの変更処理が必要でないと判断される場合、何も処理せずにＢ/Ｅ ＬＳＩ１５０から音声データが出力されたのち（Ｓ２０４）。Ｍｕｔｅ設定処理判断（Ｓ２０８）に処理が移行する。
【００７７】
Ｓ２０１においてＨＤＭＩ音声出力非優先モードと判断されて移行するＳ２０５の処理では、ＨＤＭＩ ＬＳＩ１０１でオーディオサンプリング周波数Ｆｓの調整を行うため、Ｂ/Ｅ ＬＳＩ１５０は何も処理せずに音声データを出力する（Ｓ２０５）。この場合Ｂ/Ｅ ＬＳＩ１５０は、優先されている音声データを出力する。Ｂ/Ｅ ＬＳＩ１５０が音声データを出力した後、Ｂ/Ｅ ＬＳＩ１５０から送られた音声データのオーディオサンプリング周波数Ｆｓが算出されたうえで、算出された音声データのオーディオサンプリング周波数Ｆｓを、Ｓ１０２で解析を行ったＥＤＩＤ情報に照合することで、オーディオサンプリング周波数Ｆｓ変更が必要であるか否かが判断される（Ｓ２０６）。
【００７８】
Ｓ２０６において、オーディオサンプリング周波数Ｆｓの変更が必要でないと判断される場合、特に処理を行わずにＭｕｔｅ設定処理判断（Ｓ２０８）に処理が移行する。一方、オーディオサンプリング周波数Ｆｓの変更が必要であると判断される場合、変更したオーディオサンプリング周波数Ｆｓに基づいて、音声データと音声クロック情報パケットとが、音声データ受信装置２００に適した音声データと音声クロック情報パケットとに変換される（Ｓ２０７）。具体的には、オーディオサンプリング周波数Ｆｓの変更が必要であるという判断器１５１の判断結果に基づいて情報負荷器１１３がオーディオサンプリング周波数Ｆｓを固定値,初期値の１/２,または１/４に設定できるように、クロック情報パケット設定器１１７が分周情報Ｎと時間情報ＣＴＳとを調整する。分周情報Ｎと時間情報ＣＴＳとの調整が終了すると、Ｍｕｔｅ設定処理判断（Ｓ２０８）に処理が移行する。
【００７９】
Ｓ２０８で、Ｍｕｔｅ設定が必要で無いと判断される場合にはＳ２１０に移行して何も処理を行わずにＨＤＭＩ出力を送信する。一方、Ｓ２０９に移行して、
・音声データのみの出力停止処理、
・音声クロック情報パケットと音声データとの両方の出力停止処理、
・音声データとして０データを出力する処理、
とのうちで、いずれかの処理が実施される。
【００８０】
音声クロック情報パケットと、音声データと、Ｍｕｔｅ設定とを種々変更することで、Ｓ２０９において上記したいずれの処理を実施するかが選択される。上記シーケンス制御で設定された音声クロック情報パケットと音声データとがＨＤＭＩ出力器１２０から映像音声データ受信装置２００に送信される（Ｓ２１０）。
【００８１】
本発明における実施例を図１１Ａ−図１１Ｃと、図１２Ａ−図１２Ｃとに示す。図１１Ａは、オーディオサンプリング周波数Ｆｓの調整処理（Ｓ２０３）とＭｕｔｅ処理（Ｓ２０８）とを実施することなく、Ｂ/Ｅ ＬＳＩ１５０が音声データを出力する（Ｓ２０４orＳ２０５）。この方法が従来の方法である。
【００８２】
図１１Ｂに示す実施例１では、Ｂ/Ｅ ＬＳＩ１５０でオーディオサンプリング周波数Ｆｓの調整処理が実施さえたうえで（Ｓ２０３）、Ｂ/Ｅ ＬＳＩ１５０から音声データが出力される（Ｓ２０４）。
【００８３】
図１１Ｃに示す実施例２では、Ｂ/Ｅ ＬＳＩ１５０によってオーディオサンプリング周波数Ｆｓの調整処理が実施されたうえで（Ｓ２０３）、Ｂ/Ｅ ＬＳＩ１５０から音声データが出力され（Ｓ２０４）、さらに音声クロック情報パケット/音声データ/Ｍｕｔｅが設定される（Ｓ２０９）。
【００８４】
図１２Ａに示す実施例３では、Ｂ/Ｅ ＬＳＩ１５０によって音声データが出力されたうえで（Ｓ２０５）、HDMI ＬＳＩ１０１によってオーディオサンプリング周波数Ｆｓの調整処理が実施される（Ｓ２０７）。
【００８５】
図１２Ｂに示す実施例４では、Ｂ/Ｅ ＬＳＩ１５０によって音声データが出力されたうえで（Ｓ２０５）、ＨＤＭＩ ＬＳＩ１０１によってオーディオサンプリング周波数Ｆｓの調整処理が実施され（Ｓ２０７）、さらに、音声クロック情報パケット/音声データ/Ｍｕｔｅが設定される（Ｓ２０９）。
【００８６】
図１２Ｃに示す実施例５では、Ｂ/Ｅ ＬＳＩ１５０によって音声データが出力されたうえで（Ｓ２０４またはＳ２０５）、音声クロック情報パケット/音声データ/Ｍｕｔｅが設定される（Ｓ２０９）。実施例５はＨＤＭＩ ＬＳＩ１０１のＤｏｗｎ  Ｓａｍｐｌｉｎｇ制御を必要としない処理であり、音声クロック情報パケット/音声データ/Ｍｕｔｅの設定処理（Ｓ２０９）によって、音声データのみの停止と、音声クロック情報パケットと音声データ両方の停止の処理とを切り替えることができる。
【００８７】
実施例４および実施例５のようにオーディオサンプリング周波数Ｆｓの処理をＳ２０７で処理した場合は音声クロック情報パケット/音声データ/Ｍｕｔｅ処理（Ｓ２０９）を実行したほうがよい。
【００８８】
実施例１−５の中で実施例５が最良である。以下、その理由を説明する。実施例５では、音声クロック情報パケットと音声データとにおけるオーディオサンプリング周波数Ｆｓとして、相手機器（映像音声データ受信装置２００）に適した周波数ＦｓがＨＤＭＩ ＬＳＩ１０１によって設定処されたうえで（Ｓ２０７）、Ｍｕｔｅ処理として音声データを０データに書き換える処理が行われる（Ｓ２０９）。この方法が映像音声データ送信装置１００側にとって最良である。音声データを０データに変換するＭｕｔｅ処理が最良である理由は次の通りである。
【００８９】
Ｍｕｔｅ処理は、前述したように、
・音声データのみの停止処理、
・音声クロック情報パケットと音声データとの両データの停止処理、
・０データを音声データとして出力する処理、
という３つがある。
【００９０】
音声クロック情報パケットと音声データとは映像音声データ受信装置２００の表示状態をおかしくするなどの影響を与える可能性があるが、０データを音声データとして出力する処理では、そのような影響を映像音声データ受信装置２００に与えない。そのため、０データを音声データとして出力する処理がＭｕｔｅ処理の中で最良である。
【００９１】
図１４はデジタル伝送システムおよびクロック生成装置処理における映像音声データ受信装置２００側のＤｏｗｎＳａｍｐｌｉｎｇ処理の全体の流れを示すフローチャートである。まず、映像音声データ受信装置２００に届いた分周情報Ｎと時間情報ＣＴＳとが、当該映像音声データ受信装置２００で設定可能なオーディオサンプリング周波数Ｆｓで対応できるか否かが判断される（Ｓ３０１）。Ｓ３０１で、対応可能な分周情報Ｎと時間情報ＣＴＳであると判断される場合、ＤｏｗｎＳａｍｐｌｉｎｇ処理を行うことなく音声出力処理（Ｓ３０８）に移行する。一方、Ｓ３０１で、対応可能な分周情報Ｎと時間情報ＣＴＳではないと判断される場合、ＤｏｗｎＳａｍｐｌｉｎｇ制御を実行するか否かが判断される（Ｓ３０２）。Ｓ３０２で、ＤｏｗｎＳａｍｐｌｉｎｇ制御を実行すると判断される場合は、映像音声データ受信装置２００に届いた分周情報Ｎと時間情報ＣＴＳとが、当該映像音声データ受信装置２００で設定可能なオーディオサンプリング周波数Ｆｓで対応できる値に変換される（Ｓ３０３）。
【００９２】
Ｓ３０３の処理が実施されたのち、音声データを停止するか否かが判断される（Ｓ３０４）。Ｓ３０４の判断において、音声データとクロックの停止を行うと判断される場合、音声データの出力とクロックの出力とが停止される（Ｓ３０５）。Ｓ３０４の判断において、音声データとクロックの停止を行わないと判断される場合、Ｍｕｔｅ処理の可否判断が行われる（Ｓ３０６）。Ｓ３０６の処理において、Ｍｕｔｅ処理を行うと判断される場合は、Ｍｕｔｅ設定処理が実行されたうえで（Ｓ３０７）、音声出力処理Ｓ３０８に移行する。一方、Ｓ３０６の処理において、Ｍｕｔｅ処理を行わないと判断される場合、Ｍｕｔｅ設定処理（Ｓ３０７）に移行することなく音声出力処理（Ｓ３０８）に移行する。
【００９３】
映像音声データ受信装置２００においては、ＤｏｗｎＳａｍｐｌｉｎｇを実行したうえで、Ｍｕｔｅ処理を実行する方法が最良の形態である。これは次の理由による。音声データとクロックとを停止した場合、クロックがＡｕｄｉｏ Ｉ/Ｆ２１３に届かなくなって映像音声データ受信装置２００が音声データを正常に認識できなくなる可能性がある。また、ＤｏｗｎＳａｍｐｌｉｎｇ実行後のＭｕｔｅ処理を行なわない場合、異音が発生する可能性がある。このような理由により、ＤｏｗｎＳａｍｐｌｉｎｇを実行したうえで、Ｍｕｔｅ処理を実行する方法が映像音声データ受信装置２００にとって最良の形態であると言える。
【００９４】
以上より、本発明は映像音声データ送信装置１００において、分周情報Ｎと時間情報ＣＴＳとを映像音声データ受信装置２００にとって受信可能な値に変換したうえで送信することが可能になる。また、映像音声データ受信装置２００でも受信可能な音声データに変換することが可能になる。そのため、多種の映像音声データ受信装置２００に対してデータを伝送するデジタル伝送システムおよびクロック生成装置処理方法を提供することができる。
【産業上の利用可能性】
【００９５】
本発明は、オーディオ出力機器に適応でき、特に、ＡＶ出力機能を有するＤＶＤプレーヤ、ＤＶＤレコーダおよびＳＴＢ（Set Top Box）等のＡＶ機器に適用できる。
【図面の簡単な説明】
【００９６】
【図１】従来例を示す図である。
【図２】本発明における実施形態を示す図である。
【図３】従来例を示す図である。
【図４】本発明におけるＥＤＩＤ取得手順とダウンサンプリング設定手順を示す図である。
【図５】本発明におけるＳＰＤＩＦ処理を示す図である。
【図６】本発明におけるＩ２Ｓ処理を示す図である。
【図７】受信側における従来の実施形態を示す図である。
【図８】受信側におけるダウンサンプリング制御器を含んだ実施形態を示す図である。
【図９】ＥＤＩＤ情報取得までの本発明のフローチャートを示す図である。
【図１０】ＥＤＩＤ情報取得後の本発明のフローチャートを示す図である。
【図１１Ａ】ＥＤＩＤ情報取得後の従来例のフローチャートを示す図である。
【図１１Ｂ】ＥＤＩＤ情報取得後本発明の実施例１のフローチャートを示す図である。
【図１１Ｃ】ＥＤＩＤ情報取得後本発明の実施例２のフローチャートを示す図である。
【図１２Ａ】ＥＤＩＤ情報取得後本発明の実施例３のフローチャートを示す図である。
【図１２Ｂ】ＥＤＩＤ情報取得後本発明の実施例４のフローチャートを示す図である。
【図１２Ｃ】ＥＤＩＤ情報取得後の本発明の実施例５のフローチャートを示す図である。
【図１３】受信側における処理の流れを示す図である。
【図１４】受信側の本発明のフローチャートを示す図である。
【符号の説明】
【００９７】
１１、１５０    Ｂ/Ｅ  ＬＳＩ
１５、１０１    ＨＤＭＩ  ＬＳＩ
１００    音声データ送信装置
１１４    Ｄｏｗｎ  Ｓａｍｐｌｉｎｇ制御器
１１１    ＳＰＤＩＦ入力器
１１２    Ｉ２Ｓ入力器
１１３    情報付加器
１１７    クロック情報パケット生成器
１１８    クロック/音声データ/Ｍｕｔｅ制御器
１３０    レジスタブロック
１５１    判断器
２００    音声データ受信装置
２０２    ＥＤＩＤ  ＲＯＭ  （送信側）
２１０    ＨＤＭＩ  ＬＳＩ（受信側）
２１３    Ｍｕｔｅ制御器
２１４    Configuration Registers and Status Controller
２２０    Ａ/Ｖ  Ｃｏｎｔｒｏｌｌｅｒ
２２１    Ｄｏｗｎ  Ｓａｍｐｌｉｎｇ制御器（受信側）
２３０    Ｂ/Ｅ  ＬＳＩ（受信側）
【図１】
2008159238.tif 000003
【図２】
2008159238.tif 000004
【図３】
2008159238.tif 000005
【図４】
2008159238.tif 000006
【図５】
2008159238.tif 000007
【図６】
2008159238.tif 000008
【図７】
2008159238.tif 000009
【図８】
2008159238.tif 000010
【図９】
2008159238.tif 000011
【図１０】
2008159238.tif 000012
【図１１Ａ】
2008159238.tif 000013
【図１１Ｂ】
2008159238.tif 000014
【図１１Ｃ】
2008159238.tif 000015
【図１２Ａ】
2008159238.tif 000016
【図１２Ｂ】
2008159238.tif 000017
【図１２Ｃ】
2008159238.tif 000018
【図１３】
2008159238.tif 000019
【図１４】
2008159238.tif 000020